(57)【要約】【目的】車を出入りさせる際に扉本体及び下枠体を簡単に取り外せるようにすることで扉案内レールが損傷しないようにした扉取付装置を提供する。【解決手段】扉本体用コ字溝９及び枠体取付用コ字溝１０を形成した左右一対の側枠体６，６と、扉本体案内溝１６及び枠体取付用コ字溝１７を形成した上枠体７と、扉本体用案内レール２２を突設した下枠体８とを備え、仮囲いに設けた扉設置用開口部４の左右両側端部に左右両側枠体６，６の枠体取付用コ字溝１０，１０を嵌合し、両側枠体６，６間に下枠体８を落とし込んでその左右両端部を両扉本体用コ字溝９，９の下端部に内嵌し、両側枠体６，６の上端部間に上枠体７を配置してその左右両端部を両扉本体用コ字溝９，９の上端部に被嵌し、四枠体６，６，７，８間に扉本体２５，２５を引違い式に嵌め込む。【選択図】        図３
2004324209.tif 000002
【特許請求の範囲】
【請求項１】
内側面に扉本体用コ字溝、外側面に枠体取付用コ字溝を夫々形成した左右一対の側枠体と、下面に扉本体案内溝、上面に枠体取付用コ字溝を夫々形成した上枠体と、上面に扉本体用案内レールを突設した下枠体とを備え、仮囲いの所要部に設けた扉設置用開口部の左右両側端部に左右両側枠体の夫々枠体取付用コ字溝を嵌合し、両側枠体間に下枠体を落とし込んでその左右両端部を両扉本体用コ字溝の下端部に内嵌すると共に、両側枠体の上端部間に上枠体を配置してその左右両端部を両扉本体用コ字溝の夫々上端部に被嵌し、これら四枠体間に複数の扉本体を引違い式に嵌め込んでなる仮囲いにおける扉取付装置。
【請求項２】
左右各側枠体の扉本体用コ字溝の上端には当該コ字溝を塞ぐような支持端板部を設けてなる請求項１に記載の仮囲いにおける扉取付装置。
【請求項３】
左右各側枠体は、扉本体用コ字溝を形成するコ字状形材と、枠体取付用コ字溝を形成するコ字状形材とを左右背中合わせに一体結合したものからなる請求項１又は２に記載の仮囲いにおける扉取付装置。
【請求項４】
上枠体は、下面に扉本体案内溝を形成するＬ字状形材を取り付けたコ字状形材と、枠体取付用コ字溝を形成するコ字状形材とを上下背中合わせに一体結合したものからなる請求項１〜３の何れかに記載の仮囲いにおける扉取付装置。
【請求項５】
下枠体は、基板と、この基板上に載置され、扉本体用案内レールを形成したレール板とを一体結合したものからなる請求項１〜４の何れかに記載の仮囲いにおける扉取付装置。
【発明の詳細な説明】
【０００１】
【発明の属する技術分野】
本発明は、例えばビル内の店舗等の改装工事等に設置される仮囲いに引違い扉を取り付けるための扉取付装置に関する。
【０００２】
【従来の技術】
仮囲いに引違い扉を設置するのに使用される従来の扉取付装置は、公知文献を具体的に挙げることは出来ないが、夫々チャンネル材からなる左右側枠体と、下面に扉本体案内溝を設けた上枠体と、上面に扉用案内レールを設けた下枠とからなるもので、仮囲いの所要部に設けた扉設置用開口部の左右両側端面に、左右側枠体の夫々外側面を当接してビス止めし、両側枠体の下端部間に下枠体を配置してこの下枠体を床面上に釘で固定し、また両側枠体の夫々上端部に上枠体を乗せてビスで固定し、しかしてこれら四枠体間に例えば２枚の扉本体を引違い式に嵌め込のようにしている。
【０００３】
【発明が解決しようとする課題】
上記のような従来の扉取付装置では、扉を開けて作業用運搬車等の車を出入りさせる際に下枠体の案内レールが運搬車等の車輪で潰されると云う問題があり、また扉取付装置の解体時には各枠体を取り外すのにビスや釘を一々抜き取る必要があって、撤去作業に非常な手間と時間を要すると云う問題もあった。
【０００４】
本発明は、上記の課題に鑑み、扉設置用開口部に対する左右側枠体及び上下枠体の取付け・取外しが簡単容易に行なえると共に、作業用運搬車等の車を出入りさせる際には扉本体及び下枠体を簡単に取り外しできるようにすることによって扉案内レールが押し潰されることのないようにした扉取付装置を提供することを目的とする。
【０００５】
【課題を解決するための手段】
請求項１に係る発明の仮囲いにおける扉取付装置は、内側面に扉本体用コ字溝９、外側面に枠体取付用コ字溝１０を夫々形成した左右一対の側枠体６，６と、下面に扉本体案内溝１６，１６、上面に枠体取付用コ字溝１７を夫々形成した上枠体７と、上面に扉本体用案内レール２２を突設した下枠体８とを備え、仮囲いの所要部に設けた扉設置用開口部４の左右両側端部に左右両側枠体６，６の夫々枠体取付用コ字溝１０，１０を嵌合し、両側枠体６，６間に下枠体８を落とし込んでその左右両端部を両扉本体用コ字溝９，９の下端部に内嵌すると共に、両側枠体６，６の上端部間に上枠体７を配置してその左右両端部を両扉本体用コ字溝９，９の夫々上端部に被嵌し、これら四枠体６，６，７，８間に複数の扉本体２５，２５を引違い式に嵌め込んでなることを特徴とする。
【０００６】
請求項２は、請求項１に記載の仮囲いにおける扉取付装置において、左右各側枠体６の扉本体用コ字溝９の上端には当該コ字溝を塞ぐような支持端板部１１を設けてなることを特徴とする。
【０００７】
請求項３は、請求項１又は２に記載の仮囲いにおける扉取付装置において、左右各側枠体６は、扉本体用コ字溝９を形成するコ字状形材６ａと、枠体取付用コ字溝１０を形成するコ字状形材６ｂとを背中合わせに一体結合したものからなることを特徴とする。
【０００８】
請求項４は、請求項１〜３の何れかに記載の仮囲いにおける扉取付装置において、上枠体７は、下面に扉本体案内溝１６，１６を形成するＬ字状形材１５を取り付けたコ字状形材１３と、枠体取付用コ字溝１７を形成するコ字状形材１４とを上下背中合わせに一体結合したものからなることを特徴とする。
【０００９】
請求項５は、請求項１〜４の何れかに記載の仮囲いにおける扉取付装置において、下枠体８は、基板２０と、この基板２０上に載置され、扉本体用案内レール２１，２１を形成したレール板２２とを一体結合したものからなることを特徴とする。
【００１０】
【発明の実施の形態】
図１は本発明に係る扉取付装置を示す外観斜視図、図２は仮囲いに設けられた扉設置用開口部を示す斜視図、図３は扉設置用開口部に扉取付装置を取り付けている状態を示す斜視図である。先ず、仮囲いについて説明すると、仮囲いは、ビル等の店舗の改装工事等において、工事中の店舗内と外部とを遮蔽するもので、その仮設にあたっては、図２に示すように、店舗等の工事現場とその外部との境界部に沿ってチャンネル材からなる下部ランナー１を固定し、この下部ランナー１の直上方に対応する天井部に同じくチャンネル材からなる下部ランナー２を固定し、これら下部ランナー１と上部ランナー２との間には、例えば図２に例示するように、下部パネル３ａとこれに上下方向伸縮自在に嵌挿された上部パネル３ｂとからなるアジャストパネル３を建て込む。
【００１１】
各アジャストパネル３の建て込みに際しては、上部パネル３ｂを天井高さに合わせて伸張し、その上端部を上部ランナー２に嵌合して、その位置で上部パネル３ｂ下部パネル３ａに対しピン止めすることにより固定する。４は左右のアジャストパネル３，３間に形成される扉設置用開口部で、この扉設置用開口部４の下辺には下部ランナー２を配設しない。この扉設置用開口部４の上方には、扉設置後に図１に概略示すようなアジャストパネル５を配設する。尚、図２には図示を簡略するために、扉設置用開口部４を挟んでその左右両側２枚のアジャストパネル３，３しか示していないが、実際にはアジャストパネル３を複数隣合わせに並設して仮囲いを形成する。
【００１２】
この発明に係る扉取付装置は、左右一対の側枠体６，６と上枠体７と下枠体８とから構成される。左右各側枠体６は、図４及び図５に示すように、内側面に扉本体用コ字溝９を形成する鋼板製のコ字状形材６ａと、このコ字状形材６ａよりも幅狭で長さが若干短い枠体取付用コ字溝１０を形成する鋼板製のコ字状型材６ｂとを左右背中合わせに一体結合したものからなり、扉本体用コ字溝９の上端には当該コ字溝を塞ぐような矩形状の鋼板製支持端板部１１が設けられ、この支持端板部１１にはボルト挿通孔１１ａが設けてある。この支持端板部１１は、扉本体用コ字溝９を形成するコ字状形材６ａの底板部９ａの上端部を折曲延設して形成される。この側枠体６を製作するには、上端部に支持端板部１１を折曲延設したコ字状形材６ａと、コ字状型材６ｂとを背中合わせに重合した状態で、ブラインドリベット１２によって両コ字状形材６ａ、６ｂを一体的に結合する。
【００１３】
上枠体７は、図３、図６及び図１０に示すように、開口部を下に向けた鋼板製のコ字状形材１３と、このコ字状形材１３の底面に取り付けて２条の扉本体案内溝１６，１６を形成するための鋼板製Ｌ字状形材１５と、開口部を上向きにして枠体取付用コ字溝１７を形成する鋼板製コ字状形材１４とからなるもので、上側のコ字状形材１４は、下側のコ字状形材１３より幅が狭く、その室内側側片１４ａは、略上半分が外向きにテーパ状に広がってテーパガイド１４ａｏを形成している。このテーパガイド１４ａｏは、アジャストパネル５の下部パネル５ａの下端部をコ字溝１７に挿入し易くするためのものである。
【００１４】
この上枠体７を製作するには、下側のコ字状形材１３と上側のコ字状形材１４とを上下背中合わせに重合した状態で、ブラインドリベット１８によって両コ字状形材１３、１４を一体的に結合した後、Ｌ字状形材１５の片方の部片１５ｂを両面粘着テープ１９を介し下側コ字状形材１３の内底面の片側半分に固着して、もう片方の部片１５ａを当該下側コ字状形材１３の幅方向中央部に垂設し、この部片１５ａの両側に扉本体案内溝１６，１６を形成し（図１０参照）。こうして結合した両コ字状形材１３、１４の両端部にはボルト挿通孔２４を設けておく。Ｌ字状形材１５は、コ字状形材１３，１４よりも短く、その両端がコ字状形材１３，１４の両端から内方側へ引っ込んだ位置に取り付けられている。
【００１５】
下枠体８は、図７及び図１０に示すように、比較的厚いアルミニウム等金属板よりなる基板２０と、この基板２０上に載置され、プレス加工により２条の扉本体用案内レール２１，２１を一体に条設した金属板製レール板２２とをリベット２３によって一体結合したものからなる。また、図１及び図３に仮想線で示す左右の扉本体２５，２５は、夫々下端部の前後に戸車２６を取り付けている。
【００１６】
次に上記のような構成部材６，７，８からなる扉取付装置による扉本体２５の取付施工について説明する。
【００１７】
先ず、図３に示すように、仮囲いの所要部に設けた扉設置用開口部４の左右両側端部であるアジャストパネル３の下部パネル３ａの縦枠２７，２７に、左右両側枠体６，６の夫々枠体取付用コ字溝１０，１０を嵌合する。そして、両側枠体６，６が倒れないように保持した状態で、両側枠体６，６の下端部間に下枠体８を落とし込んで、その左右両端部を両扉本体用コ字溝９，９の夫々下端部に内嵌する。この下枠体８の取付けにあたって、下枠体８は、例えば図３に示すような位置からその一端側を持ち上げて斜めにした状態で両側枠体６，６間に挿入配置して床面Ｆ上に落とし込むことにより、図１に示すように下枠体８の左右両端部を両扉本体用コ字溝９，９の夫々下端部に簡単に内嵌合させることができる。
【００１８】
こうして左右両側枠体６，６と下枠体８とを扉設置用開口部４の左右両側端部とその下端部間に介在させた後、両側枠体６の上端部間に上枠体７を配置してその左右両端部を側枠体６，６の扉本体用コ字溝９，９の夫々上端部に被嵌する。即ち、上枠体７は、図３に示すように、扉設置用開口部４の左右両側端部に枠体取付用コ字溝１０，１０を嵌合させた両側枠体６，６の上端部に対し、その上方に水平姿勢で持ち来した上枠体７をそのまま落とし込むようにすると、この上枠体７の下側コ字状形材１３の両端部が、両側枠体６，６のコ字状形材６ａ，６ａの上端部にある支持端板部１１，１１に上から嵌まり込んで、図８及び図１０に示すような状態となる。
【００１９】
上記のように上枠体７を両側枠体６の上端部間に配置してその左右両端部を両側枠体６，６の扉本体用コ字溝９，９の夫々上端部に被嵌したならば、上枠体７の両端部に設けてあるボルト挿通孔２４から両側枠体６のコ字状形材６ａ，６ａ上端部にある支持端板部１１，１１のボルト挿通孔１１ａ，１１ａにボルト２８（図１参照）を挿通してナット（図示せず）で締め付け固定し、それにより上枠体７を左右両側枠体６，６の上端部に連結固定する。下枠体８は、その両端部を両側枠体６，６の枠体取付用コ字溝１０，１０の下端部間に嵌合させているだけである。これによって、扉設置用開口部４に対する四つの枠体６，６，７，８の取付けを終了する。
【００２０】
こうして扉設置用開口部４に取り付けた四枠体６，６，７，８間に左右の扉本体２５，２５を引き違い式に嵌め込む。扉本体２５の嵌め込みにあたっては、室内側の扉本体２５を持ち上げ、その上端部を上枠体７下面側の室内側扉本体案内溝１６に嵌め込んだ状態で、この扉本体２５下端部にある戸車２６を下枠体８の室内側扉本体用案内レール２１に係合させればよい。室外側の扉本体２５についても上記室内側扉本体２５と同様な要領で行なえばよい。
【００２１】
この後、図１の仮想線で示すように、扉設置用開口部４の上方に位置する左右両側のアジャストパネル３，３間にアジャストパネル５を挿入配置して、その下部パネル５ａと上部パネル５ｂとを上下に伸張しながら、下部パネル５ａの下端部を上枠体７の枠体取付用コ字溝１７に嵌合する。これによって、扉取付施工が完了する。
【００２２】
このような扉取付装置において、扉本体２５を開けて作業用運搬車等の車を出入りさせる際に下枠体８の扉本体用案内レール２１がその車で潰されるおそれがある場合には、扉本体２５を四つの枠体６，６，７，８から取り出せば、下枠体８は簡単に取り外せるから、この下枠体８だけ外した状態で作業用運搬車等の車を自由に出入りさせることができる。この際の下枠体８の取外しは、下枠体８の一端側を持ち上げて斜めにすれば、下枠体８を左右両側枠体６，６間から簡単容易に抜き取ることができる。車の出入りが終われば、再び下枠体８を両側枠体６，６間に介挿して、四枠体６，６，７，８間に扉本体２５を嵌め込めばよい。
【００２３】
以上説明した実施形態では、仮囲いを設置するのに、床面Ｆ上に固定した下部ランナー１と天井部に固定した上部ランナー２との間に、下部パネル３ａとこれに上下方向伸縮自在に嵌挿された上部パネル３ｂとからなるアジャストパネル３を建て込んでいるが、このようなアジャストパネル３を使用することなく、非伸縮式の固定パネルを使用して仮囲いを形成することができるものである。
【００２４】
また実施形態では、２枚の扉本体２５，２５を四枠体６，６，７，８間に引き違い式に嵌め込んでいるが、３枚以上の扉本体２５，２５を引き違い式に嵌め込む構成でもよい。その場合は、上枠体７の下面には３つ以上の扉本体案内溝１６を設け、下枠体８には３つ以上の扉本体用案内レール２１を設ければよい。
【００２５】
また、この実施形態の扉取付装置では、左右各側枠体６の扉本体用コ字溝９の上端にそのコ字溝９を塞ぐような支持端板部１１を設けているから、上枠体７の両端部を両側枠体６，６の扉本体用コ字溝９，９の夫々上端部に安定良く被嵌させることができるし、またその支持端板部１１にボルト挿通孔１１ａを設けることができるので、上枠体７と側枠体６とをボルトによって的確に連結することができる。
【００２６】
また、左右各側枠体６は、扉本体用コ字溝９を形成するコ字状形材６ａと、枠体取付用コ字溝１０を形成するコ字状形材６ｂとを背中合わせに一体結合したものからなり、また上枠体７は、下面に扉本体案内溝１６，１６を形成するＬ字状形材１５を取り付けたコ字状形材１３と、枠体取付用コ字溝１７を形成するコ字状形材１４とを上下背中合わせに一体結合したもので形成されるから、形材６ａ，６ｂ，１３，１４，１５として一般に用いられる形材の使用が可能となって、側枠体６及び上枠体７の製作が容易となり、安価に提供することができる。
【００２７】
また、下枠体８は、基板２０と、この基板２０上に載置され、扉本体用案内レール２１，２１を形成したレール板２２とを一体結合したものからなるため、この下枠体８の製作が容易となって安価に提供することができる。
【００２８】
【発明の効果】
請求項１に係る発明の扉取付装置によれば、扉の取付作業及び取外し作業を簡単容易に行なうことができると共に、扉本体を開けて作業用運搬車等の車を出入りさせる際に下枠体の扉本体用案内レールを潰したりして損傷させるおそれがある場合には、扉本体を四枠体から取り出せば、下枠体を簡単に取り外せるから、扉本体用案内レールを損傷することなく、作業用運搬車等の車を自由に出入りさせることができる。
【００２９】
請求項２に係る発明の扉取付装置によれば、左右各側枠体の扉本体用コ字溝の上端に支持端板部を設けているから、上枠体の両端部を両側枠体の扉本体用コ字溝の夫々上端部に安定良く被嵌させることができると共に、その支持端板部にボルト挿通孔を設けることにより、上枠体と側枠体とをボルトによって的確に連結固定することができる。
【００３０】
請求項３に係る発明の扉取付装置によれば、左右各側枠体が、扉本体用コ字溝を形成するコ字状形材と、枠体取付用コ字溝を形成するコ字状形材とを左右背中合わせに一体結合したものからなるため、一般に用いられる形材の使用によって各側枠体の製作が簡単容易となり、安価に提供することができる。
【００３１】
請求項４に係る発明の扉取付装置によれば、上枠体が、下面に扉本体案内溝を形成するＬ字状形材を取り付けたコ字状形材と、枠体取付用コ字溝を形成するコ字状形材とを上下背中合わせに一体結合したものからなるため、一般に用いられる形材を使用することができて上枠体の製作が簡単容易となり、安価に提供することができる。
【００３２】
請求項５に係る発明の扉取付装置によれば、下枠体は、基板と、この基板上に載置され、扉本体用案内レールを形成したレール板とを一体結合したものからなるため、下枠体の製作が簡単容易となって安価に提供することができる。
【図面の簡単な説明】
【図１】本発明に係る扉取付装置を示す外観斜視図である。
【図２】仮囲いに設けられた扉設置用開口部を示す斜視図である。
【図３】扉設置用開口部に扉取付装置を取り付けている状態を示す斜視図である。
【図４】左右の側枠体を示す斜視図である。
【図５】（ａ）は例えば左側の側枠体の左側面図、（ｂ）は同側枠体の正面図、（ｃ）は同側枠体の右側面図である。
【図６】（ａ）は上枠体の斜視図、（ｂ）は上枠体の平面図、（ｃ）は上枠体の正面図、（ｄ）は上枠体の底面図である。
【図７】（ａ）と下枠体の斜視図、（ｂ）は下枠体の平面図、（ｃ）は下枠体の正面図、（ｄ）は下枠体の底面図である。
【図８】同上の扉取付装置における上枠体７の配置状態を示す平面図である。
【図９】同上の扉取付装置の横断面図である。
【図１０】同上の扉取付装置の縦断面図である。
【符号の説明】
４            扉設置用開口部
６            側枠体
７            上枠体
６ａ          コ字状形材
６ｂ          コ字状形材
８            下枠体
９            側枠体の扉本体用コ字溝
１０          側枠体の枠体取付用コ字溝
１１          支持端板部
１５          Ｌ字状形材
１６          扉本体案内溝
１７          枠体取付用コ字溝
２０          下枠体の基板
２１          扉本体用案内レール
２２          レール板
【図１】
2004324209.tif 000003
【図２】
2004324209.tif 000004
【図３】
2004324209.tif 000005
【図４】
2004324209.tif 000006
【図５】
2004324209.tif 000007
【図６】
2004324209.tif 000008
【図７】
2004324209.tif 000009
【図８】
2004324209.tif 000010
【図９】
2004324209.tif 000011
【図１０】
2004324209.tif 000012